(57)【要約】【課題】サラダやスパゲテイを食す時、少なくなってくると、刺したり摘んだりが出来にくくなってくる。特に底にぱらぱらと残っている平面状の野菜の切片には困難であった。【解決手段】挟持部と、挟持部に延接された一対の可動片とよりなり、該可動片の先端部付近が、任意の操作角度とした状態で任意の容器の内底面の一部に近似した形状の接触部となっていることを特徴とする。【選択図】            図１
2004351175.tif 000002
【特許請求の範囲】
【請求項１】
挟持部と、挟持部に延接された一対の可動片とよりなり、該可動片の先端部付近が、任意の操作角度とした状態で任意の容器の内底面の一部に近似した形状の接触部となっていることを特徴とする、つまみ具。
【請求項２】
挟持することで後壁を構成する後壁構成部を接触部に延接したことを特徴とする、請求項１記載のつまみ具。
【発明の詳細な説明】
【０００１】
【発明の属する技術分野】
サラダ等を大皿から小皿へ小分けする時や、小皿に入ったサラダ等を食する時、小さいものや薄い物をつまみ出す時に使用する、また熱湯の中から茹で野菜を取り出す菜箸代わり、あるいは手の不自由な人の箸代わりとする、つまみ具に関するものである。
【０００２】
【従来の技術】
従来、サラダを小皿へ小分けする物としては、可動辺の、先端が丸くなっていたり、下辺に複数の突起部を有するものがあった。茹で野菜を取り出す場合に使用する物としては、対の棒を近づけた時の接触個所が一点でしかない菜箸があり、サラダを食す時に使用するものとしては、フォークや箸があるが、フォークは、対象物を摘めず対象物を載せにくく、またサラダ器内で野菜の盛り状態が厚みを有さなければ、突き刺せない形状であり、箸は菜箸と同様に、接触個所が一点となっている。
【０００３】
【発明が解決しようとする課題】
サラダやスパゲテイを食す時、少なくなってくると、刺したり摘んだりが出来にくくなってくる。特に底にぱらぱらと残っている平面状の野菜の切片には困難であった。
【０００４】
【課題を解決するための手段】
挟持部と、挟持部に延接された一対の可動片とよりなり、該可動片の先端部付近が、任意の操作角度とした状態で任意の容器の内底面の一部に近似した形状の接触部となっていることを特徴とする。
【０００５】
【発明の実施の形態】
以下、本発明の実施の形態を説明する。折り曲げる個所、つまり挟持部（４）が可動片の頂上に位置するか、側辺側に位置するかの違いに区分けしておく。
先ず、折り曲げる個所が可動片の頂上に位置する場合の説明から始める。
図１〜図３より、細長い平板状の材料を中央で折り曲げ、この付近を挟持部、挟持部から先を可動片（３）となるように構成する。この形状の場合、挟持部はアーチ状に曲がっているのがよい。又、二本となった可動片はその端部が同時に、対象とする容器内底面に接触することを妨げない長さを持ち、端部辺（５）の操作角度形状は、出来るだけ容器の主として使用する内底面に近似する。ここで言う近似とは、図３に示すように、この端部辺がａの直線の場合、ｂの細かい凹みを有する場合、ｃの皿の内底面に添ったわずかなカーブを有する場合等も含むものである。これらの後端部は角の緩やかなカーブ状が好ましい。また、ここでは可動片の両方が同形状とする場合であるが、別の形状の組合せであっても構わないことを付け加える。
使い方は図２のように挟持部を掴んで指先で対の可動片を支え持ち、図１のａのように可動片先端を皿（６）上の野菜切片等の食べ物（１）を挟める位置に置き、互いに近づけながらｂのように野菜切片を挟む。他に先端（２）を他の食べ物に刺し込んで取り出したり、刺し込む挟むを同時にする事もできる。これらの使い方は以下に通じる。可動片を指先で持つか掌で掴むかの違いはあるが、これは手の大きさ、器具の形状等によって、使う側が選択する範囲である。
図４、図５の場合は、対の可動片端部の接触面（９）についての説明図で、取り込んだ野菜の切片を楽に摘んでいられるようにする目的で、出来るだけ接蝕面を広くするものである。図４のａは甲部（７）を半円状に高く広げた場合で、先端まで円を描いても先端に尖り部を少し残していてもよい。ｂは踵部（８）を突き出して広げた場合、ｃは可動片の端部に向かって次第に幅を広くした場合である。図５のａは接触する先端部の内側を少し削った、ｂは意図的に可動片の先端近くで曲げて近づけた場合で、これらの面が少し波状を呈していても構わない。但し、当発明は、可動片がバネ力を有するものが適しており、そのため指の力加減で当図程度の接近のし方は出来るので、敢えてこれらのように加工する必要がない場合もある。
使い方は前記同様であるが、先端の端部辺形状において、図４のａの側面図のように先端が尖りを全く有さないものでも、図５のａを選択すれば、刺し込むことが可能になる。
【０００６】
図６〜図９は端部が内側に向けて湾曲した場合で、接触面（９）は可動片それぞれの端部辺（５）の厚み部となる類である。図６のａは斜視図、ｂは正面図である。可動片の一方がまっすぐで他方が湾曲する場合も考えられるが、この時の接触面は一方は可動片（３）の内側にあり、他方は端部辺の厚み部となる。図７は接触面をより広げるために内側に突起部（１０）を設けたもので、ａは可動片の片側、ｂは左右の端部辺並びに突起部の内側部が接触した時の正面図である。
使い方に関しては前記同様であるが、挟んで生じた空間に図８のように食べ物（１）を貯めることが可能になり、又、挟んだ状態ですくい取るような使い方も出来ることを付加する。
次に図９〜図１１の挟持部（４）が側辺側に位置する場合の説明に移る。
図９は挟持部を前方の側辺上にアーチ状に設け、図１０はその挟持部を折れ線（１１）で設け、ａは折れ線の位置を示し、ｂは持ち方を示した図である。図１１は挟持部を図１０に比べて反対側の後方の側辺上に設けたもので、挟持部からみて端部辺の傾斜は反対に向くことになる。これらの使い方は前記同様に挟持部を覆い持つが、図１１はすくい持つところが異なっている。
図１２〜図１５は可動片を比較的短く幅を広く作成した場合で、アーチ状の挟持部が掌内にはまり込む形状をし、掌全体で掴むようにして使用出来るように作る。対象は幼児や指先が不自由な人とする。従って先端（２）については、自然状態で可動片が離れた時もあまり尖りを有さないように、また、口内で開いても問題がない大きさで出来るだけ角を有さない形状にする。図１３はストッパー（１２）を挟持部の縁をそり上げて設けた。口内に差し込んで違和感のないように凹み（１３）を後方の側辺に設けたが、他に凹みを前方の側辺に設けてもよく、又、全体的に前方へ向けカーブを有してもよい。図１４、図１５については、端部辺を接触させた時、後ろ側も同時に接触して背後に面が生じるように、可動片の後ろ側の左右の側辺部から壁面を突きだし、後壁部（１４）としたものである。この場合の、ａで可動片が開いた自然の状態を、ｂで可動片を握った時の状態を、図１４では斜視図で、図１５ではストッパーのないものを正面図で示した。後壁部は任意の長さや形状で設けられるが、長さは握った時指先の邪魔にならない範囲とする。また生じた後壁部は必ずしも一平面でなくてもよい。
これらの使い方はストッパーを有する物については、ストッパーの内側に親指と人差し指を開いて添えて持つ以外は前記同様である。後壁部を有する場合は、スープを食す場合には、スープ内から具をつまみながら、かつ、スープ液を中に取り込むことも出来るという機能が加わる。
尚、全型に通じるが、握った手を離した時、必ずもとの自然状態へ戻ることが可能なバネ力を有する材料で構成する必要がある。豆のような対象とするものによっては端部辺の中間部が少し広がっても構わない。それぞれの先端部は危険の少ないように尖りを少なくした方がよりよいが、従来のフォークの先端よりも尖りをつけることが可能である。使用時可動片の指で押し合う個所を少し広げる等の、より使い易い形状も考えられる。
【０００７】
【発明の効果】
イ  皿面にくっついている野菜の切片を先端で摘める。
ロ  従来のフォーク以上の尖りが設けられ、一本が突出して刺し易い。
ハ  刺し易く刺した状態を固定出来る。
ニ  箸やフォークを持てない人も、食べ物を掴むことが出来る。
ホ  あまり力を入れなくても熱湯内から茹で野菜が取り出せる。
ヘ  針等の細く小さな物を摘む器具として応用出来る。
【図面の簡単な説明】
【図１】当発明の、ａは自然状態、ｂは野菜の切片等の食べ物（１）を挟んだ状態の、使用斜視図である。
【図２】使用側面図である。
【図３】当発明の端部辺（５）形状を示す、ａは直線状、ｂは無数の切り込み状、ｃはカーブ状の、側面図である。
【図４】可動片（３）の端部形状の種類を示した側面図で、ａは甲部（７）、ｂは踵部（８）で広くし、ｃは可動片の幅を下方に向け次第に広くしたものである。
【図５】対の可動片の接触位置や形状を示した、ａは次第に近づく場合で先端部を削り落として接触面（９）を広げた、ｂは先端付近で意図的に近づけた場合の正面図である。
【図６】可動片の先端が互いに内側に向いた状態を示し、ａは斜視図、ｂは左、右側の可動片が互いに接触した正面図である。
【図７】前記形状の端部に突起部（１０）を設けたもので、ａは片側の可動片、ｂは接触した状態を示す正面図である。
【図８】図６、図７の当発明で茹で野菜を取り出した、使用斜視図である。
【図９】挟持部（４）を側辺上に有する場合の、斜視図である。
【図１０】挟持部が折れ線（１１）で作成された場合で、ａはその自然状態、ｂは持ち方を示した、斜視図である。
【図１１】下からすくった持ち方で使用する場合の、使用斜視図である。
【図１２】可動片の幅を広くし、挟持部を楽に持った時の手の内側形状に添う湾曲状とした場合で、ａは自然状態の、ｂはその持ち方を示した斜視図である。
【図１３】凹み（１３）とストッパー（１２）を設けた場合の斜視図である。
【図１４】後壁部（１４）を設けた場合の、ａは自然状態の、ｂは使用時の斜視図である。
【図１５】後壁部を設けた場合の、ａは自然状態の、ｂは使用時の正面図である。
【符号の説明】
１  食べ物              ２  先端                ３  可動片
４  挟持部              ５  端部辺              ６  皿
７  甲部                ８  踵部                ９  接触面
１０  突起部            １１  折れ線            １２  ストッパー
１３  凹み              １４  後壁部
【図１】
2004351175.tif 000003
【図２】
2004351175.tif 000004
【図３】
2004351175.tif 000005
【図４】
2004351175.tif 000006
【図５】
2004351175.tif 000007
【図６】
2004351175.tif 000008
【図７】
2004351175.tif 000009
【図８】
2004351175.tif 000010
【図９】
2004351175.tif 000011
【図１０】
2004351175.tif 000012
【図１１】
2004351175.tif 000013
【図１２】
2004351175.tif 000014
【図１３】
2004351175.tif 000015
【図１４】
2004351175.tif 000016
【図１５】
2004351175.tif 000017